(57)【要約】【課題】安価で且つ容易に組み立てられ、壁パネルと建築壁との間隙を小さくできるユニットルームの壁パネル及びその接続構造を提供する。【解決手段】さねはぎ接合されるユニットルームの壁パネル接合構造において、第１の壁パネルの一側端に形成された凹溝の室内側に位置する頂部と、第２の壁パネルの該凹溝に対向する一側端に上記凹溝に嵌合する形状に形成された凸条の室内側に位置する底部とを当接させ、上記凹溝の室外側に位置する頂部と上記凸条の室外側に位置する底部との間に間隙を設ける。【選択図】  図６
2006028834.tif 000002
【特許請求の範囲】
【請求項１】
第１の壁パネルの一側端の室内側に位置する頂部と、第２の壁パネルの対向する一側端の室内側に位置する頂部とが当接される一方、上記両壁パネルの室外側に位置する頂部同士の間に間隙が設けられたことを特徴とするユニットルームの壁パネル接合構造。
【請求項２】
さねはぎ接合されるユニットルームの壁パネル接合構造において、第１の壁パネルの一側端に形成された凹溝の室内側に位置する頂部と、第２の壁パネルの該凹溝に対向する一側端に上記凹溝に嵌合する形状に形成された凸条の室内側に位置する底部とが当接される一方、上記凹溝の室外側に位置する頂部と上記凸条の室外側に位置する底部との間に間隙が設けられたことを特徴とするユニットルームの壁パネル接合構造。
【請求項３】
前記壁パネル接合構造は、立設された第１の壁パネルの上側端に前記凸条を配置し、該壁パネルの上に立設された第２の壁パネルの下側端に前記凹溝を配置したことを特徴とする請求項２記載のユニットルームの壁パネル接合構造。
【請求項４】
前記凸条は、挟装された水密材を介して前記凹溝に嵌合されることを特徴とする請求項２及び３のいずれかに記載のユニットルームの壁パネル接合構造。
【請求項５】
前記水密材は、一端が前記凹溝の頂部と前記凸条の底部とが当接する部分よりも室内側に膨出拡開する形状に成形され、前記壁パネルの室内側接合部分を掩蔽することを特徴とする請求項４記載のユニットルームの壁パネル接合構造。
【請求項６】
一側端にさねはぎ接合に供される凸条が設けられ、該凸条の一方の底部から上記凸条の頂部までの距離が、上記凸条の他方の底部から上記凸条の頂部までの距離より短く形成されたことを特徴とするユニットルームの壁パネル。
【請求項７】
前記凸条の頂部までの距離が他方より短く形成された底部は、表面側から前記底部へと下降する傾斜面に形成されたことを特徴とする請求項６記載のユニットルームの壁パネル。
【請求項８】
一側端にさねはぎ接合に供される凹溝が設けられ、該凹溝の一方の頂部から上記凹溝の底部までの距離が、上記凹溝の他方の頂部から上記凹溝の底部までの距離より長く形成されたことを特徴とするユニットルームの壁パネル。
【請求項９】
前記凹溝の底部までの距離が他方より長く形成された頂部は、表面側から前記底部へと下降する傾斜面に形成されたことを特徴とする請求項８記載のユニットルームの壁パネル。
【請求項１０】
相じゃくり接合されるユニットルームの壁パネル接合構造において、第１の壁パネルの一側端に形成された室内側に位置する凸条の頂部と、第２の壁パネルの該凸条に対向する一側端に上記凸条に係合する形状に形成された室内側に位置する凸条受け部とが当接される一方、上記第１の壁パネルの室外側に形成された凸条受け部と上記第２の壁パネルの室外側に形成された凸条の頂部との間に間隙が設けられたことを特徴とするユニットルームの壁パネル接合構造。
【発明の詳細な説明】
【技術分野】
【０００１】
本発明は、浴室等のユニットルームの壁面を構成する壁パネル、及び斯かるユニットルームの壁パネル相互間の接続構造に関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このパネル方式によるユニットルームの壁面は、床外縁に形成された壁パネル載置部上に、床面から天井面に達する高さを有する縦張りの壁パネルを立設する構造のものが主流である。この構造の壁パネルは、高さが２０００ｍｍ以上あり、パネル幅が大きくなれば重量も増加することから、その運搬や組立作業を考慮すれば、パネル幅を大きくすることはできず、そのため、一つの壁面は複数の壁パネルで構成される。
【０００４】
このとき、壁パネル間で前後に段差が生じることを防止する、或いは高さ方向に長いパネルが面外方向に撓む（上下方向中央部が室内側へ張り出す、或いは室外側へ退行する）ことを防止するため、例えば図１６に示すように、これら壁パネル１０１の接続部分において床面から支柱１０２を立設して支持させる必要がある。
【０００５】
そのため、建築本体の壁面１０３と壁パネル１０１との間にこの支柱１０２を立設するスペースＳを確保すべく壁パネル１０１は室内側へと押し出され、畢竟ユニットルーム内の空間が狭くなる。特に、既存建築物のリフォームに際して、規格化されたユニットルームを所定の場所に設けるには、必要空間を確保するために往々既存壁を斫る必要が生じるが、これは、斫り作業という工数の増加による工期の延長ばかりではなく、斫りガラという建築廃材の処分費用も増加する。また、発生する騒音や埃が近隣に迷惑をかけることもある。
【０００６】
したがって、建築壁面とユニットルーム壁面との間隙をできるだけ小さくすべく、支柱を小さくする、或いはなくす方法が種々検討されている。その中に、壁パネルを横積み構造とするものが提案されている（例えば、特許文献１参照。）。これは、押出し成形セメント板からなる壁パネルの一側端に凸条、もう一側端に凹溝部を設けて嵌合させる接続構造で、凹溝の２つの縁がともにもう一方の壁パネルの凸条根本に当接する形状を備えるものである。この構造は、壁面端部から他端までの横方向には１枚のパネルで掛け渡すことが可能であり、また、上下のパネルを嵌合させることから撓みの虞もないため、連結材や支柱が不要となって、合理的な構造といえる。
【０００７】
しかしながら、図１７（ａ）に示すように、凸条及び／又は凹溝の成型精度が悪い場合や、同図（ｂ）に示すように、組立中に嵌合部に異物Ｆを噛み込んだ場合に、下側の壁パネル上端と上側の壁パネル下端との間に間隙Ｇが発生し、意匠性の低下、水密信頼性の低下、隙間に汚れが入り込むことによる清潔感の低下等の問題が発生する。
【０００８】
特に、壁パネルの室外側において嵌合部に異物Ｆを噛み込んだ場合は、室内側にいる作業者の手が届かないので、異物Ｆを除去するために組立中の壁パネルを一度外さなければならず、組立作業の能率を著しく悪化させる虞がある。
【０００９】
この問題を解決するために、シリコンコーキング等水密材を充填することも考えられるが、これは、組立作業工数が増加する、組立作業者の熟練度のバラツキにより、仕上がりに差が生じる、カビ等が発生して清潔感を損なう等新たな問題をもたらす。或いは、壁パネル同士を強制的に引き寄せる特殊な部品或いは治具を用いることも考えられるが、これでも組立作業工数やコストの増加という問題がある。
【００１０】
一方、この建築壁面とユニットルーム壁面との間隙の問題を解決するには、支柱を小さくする、或いはなくす方法だけでなく、壁パネル自体の厚みを小さくするという方面からも検討する必要がある。しかしながら、特許文献１で採用されている押出成形セメント板は、それ自体ある程度の厚みがあるので改善の余地がある。また、コスト的にも、現在縦張り壁パネルに多く用いられている、鋼板に裏張り材を貼着したものに比べて高いものとなる。ところが、この化粧鋼板に裏打ち材を貼着して形成される壁パネルは、薄く、強く、且つ廉価であるという特徴を有するものの、精度が出難いため、嵌合部の精度確保が必須である横積み構造には適用できなかった。
【特許文献１】特開平６−４２０７５号公報
【発明の開示】
【発明が解決しようとする課題】
【００１１】
本発明は、上述した事情を考慮してなされたもので、安価で且つ容易に組み立てられ、壁パネルと建築壁との間隙を小さくできるユニットルームの壁パネル及びその接続構造を提供することを目的とするものである。
【００１２】
本発明の他の目的は、意匠性、水密信頼性、清潔感のあるユニットルームの壁パネル及びその接続構造を提供することにある。
【課題を解決するための手段】
【００１３】
本発明に係るユニットルームの壁パネル接合構造は、上述した課題を解決するために、請求項１に記載したように、第１の壁パネルの一側端の室内側に位置する頂部と、第２の壁パネルの対向する一側端の室内側に位置する頂部とが当接される一方、上記両壁パネルの室外側に位置する頂部同士の間に間隙が設けられたものである。
【００１４】
また、本発明に係るユニットルームの壁パネル接合構造は、上述した課題を解決するために、請求項２に記載したように、さねはぎ接合されるユニットルームの壁パネル接合構造において、第１の壁パネルの一側端に形成された凹溝の室内側に位置する頂部と、第２の壁パネルの該凹溝に対向する一側端に上記凹溝に嵌合する形状に形成された凸条の室内側に位置する底部とが当接される一方、上記凹溝の室外側に位置する頂部と上記凸条の室外側に位置する底部との間に間隙が設けられたものである。
【００１５】
この壁パネル接合構造は、請求項３に記載したように、立設された第１の壁パネルの上側端に前記凸条を配置し、該壁パネルの上に立設された第２の壁パネルの下側端に前記凹溝を配置することにより、横積み構造の壁パネル接合構造に適用することができる。
【００１６】
そして、請求項４に記載したように、この凸条を、挟装された水密材を介して前記凹溝に嵌合される構成とすれば、より水密性を高めることができる。
【００１７】
また、請求項５に記載したように、前記水密材を、一端が前記凹溝の頂部と前記凸条の底部とが当接する部分よりも室内側に膨出拡開する形状に成形し、前記壁パネルの室内側接合部分を掩蔽する構成とすることにより、該水密材に化粧モールとしての機能を兼ねさせることができ、意匠性が向上する。
【００１８】
一方、上述した課題を解決するために、請求項６に係る壁パネルは、一側端にさねはぎ接合に供される凸条が設けられ、該凸条の一方の底部から上記凸条の頂部までの距離が、上記凸条の他方の底部から上記凸条の頂部までの距離より短く形成されたものである。この場合、請求項７に記載したように、前記凸条の頂部までの距離が他方より短く形成された底部を、表面側から前記底部へと下降する傾斜面に形成してもよい。
【００１９】
或いは、上述した課題を解決するために、請求項８に係る壁パネルは、一側端にさねはぎ接合に供される凹溝が設けられ、該凹溝の一方の頂部から上記凹溝の底部までの距離が、上記凹溝の他方の頂部から上記凹溝の底部までの距離より長く形成される。この場合、請求項９に記載したように、前記凹溝の底部までの距離が他方より長く形成された頂部は、表面側から前記底部へと下降する傾斜面に形成してもよい。
【００２０】
さらに、本発明に係るユニットルームの壁パネル接合構造は、上述した課題を解決するために、請求項１０に記載したように、相じゃくり接合されるユニットルームの壁パネル接合構造において、第１の壁パネルの一側端に形成された室内側に位置する凸条の頂部と、第２の壁パネルの該凸条に対向する一側端に上記凸条に係合する形状に形成された室内側に位置する凸条受け部とが当接される一方、上記第１の壁パネルの室外側に形成された凸条受け部と上記第２の壁パネルの室外側に形成された凸条の頂部との間に間隙が設けられたものである。
【発明の効果】
【００２１】
本発明に係るユニットルームの壁パネル及びその接続構造によれば、安価で且つ容易に組み立てられ、壁パネルと建築壁との間隙を小さくできるユニットルームの壁パネル及びその接続構造を提供することができる。
【００２２】
本発明は、意匠性、水密信頼性、清潔感のあるユニットルームの壁パネル及びその接続構造を得られる効果がある。
【発明を実施するための最良の形態】
【００２３】
本発明に係るユニットルームの壁パネル及びその接続構造の実施の形態について、添付図面を参照して説明する。図１は、本発明に係る壁パネルを構成要素とするユニットルーム１の全体的な概要を示すものである。本実施形態に示されたユニットルーム１は、床２と、壁３と、コーナー支柱４と図示しない天井パネル及び出入り口とを備え、一定の広さを有する空間を形成する。
【００２４】
床２は、建築床或いは防水パンで構成され、床２の四周には、壁３を構成する壁パネル１０を載置可能な壁パネル載置部２ａが形成される。
【００２５】
コーナー支柱４は、この床の四隅に立設され、壁パネル１０，１０Ａを立設状態に保持するものである。
【００２６】
壁３は、壁パネル載置部２ａ上に立設された下段の壁パネル１０と、その上に載置された上段の壁パネル１０Ａとから構成される。壁パネル１０，１０Ａは、さねはぎ（一方を凸，他方を凹に彫って合わせる板の接合方法）に接合されて、床２の外縁に設けられた壁パネル載置部２ａ上に載置され、立設されたコーナー支柱４，４間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００２７】
例えば、ユニットルームの一形態であるユニットバスでは、その大きさが長さ１６００×幅１６００×高さ２０００ｍｍ程度が主流である。この場合、従来の縦張り型壁パネルでは、１枚のパネルの長さは、２０００ｍｍ前後となる。ところが、本発明に係る横積み構造の壁パネルでは、その長さが１６００ｍｍ前後となるので、運搬時や組立時においての振り回しが容易になる。
【００２８】
ユニットルーム１の壁３を構成する壁パネルのうち下段に設置される壁パネル１０は、図２に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、厚さが３０ｍｍ程度の押出成形セメント板に比べて薄く、また、重量も押出成形セメント板より格段に軽く、運搬上及び組立上取り扱い易いものとなっている。そして、押出成形セメント板よりも安価に製造することができる。
【００２９】
表面材１１の上側端は、図２（ｃ）に示すように、背面側に折曲されて、さねはぎ接合に供される凸条１４が形成される。この凸条１４は、室内側底部１４ａと室外側底部１４ｃとの中央に、頂部１４ｂが立設される。ここで、室内側底部１４ａと室外側底部１４ｃとは、同じ高さに形成される。
【００３０】
これに対し、表面材１１の下側端は、図２（ｄ）に示すように、背面側に折曲されて凹条１５が形成される。この凹溝１５は、壁パネル１０の厚さ方向中央に位置する底部１５ｂを挟んで、室内側頂部１５ａと室外側頂部１５ｃとが立設されるが、室内側頂部１５ａから底部１５ｂまでの距離は、室外側頂部１５ｃから底部１５ｂまでの距離より長くなるように、すなわち、室内側頂部１５ａの方が相対的に高く形成される。
【００３１】
一方、表面材の両側端は、図２（ｅ）に示すように、単純に背面側に直角に折曲されて、芯材１２の端部を保護する。
【００３２】
また、壁パネル１０の背面には、上方の両端近傍に図２（ｃ）に示す掛止孔１２ａが凹設される。壁パネル１０は、この掛止孔１２ａが、支柱４に突設された、後述するピン３０ｄに掛止されて立設される。
【００３３】
ユニットルーム１の壁３を構成する壁パネルのうち上段に設置される壁パネル１０Ａは、基本的には壁パネル１０と同様の構成であるが、その上側端が単純に背面側に折曲されている点で壁パネル１０と相違する（図６参照）。
【００３４】
コーナー支柱４は、ユニットルーム１の出隅のコーナーに設けられ、壁３の荷重を支持するとともに、壁パネルの表面相互間で出入りが生じないように配置する機能を有する。このコーナー支柱４は、室内側に位置するコーナー目地２０と、壁パネル裏面側に位置するコーナーバックアップ材３０とから構成される。
【００３５】
コーナー目地２０は、図３に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００３６】
軟質部２０ｂは、例えばオレフィン系エラストマーからなる柔軟な部材で、コーナー目地２０が壁パネル１０に押圧されると変形して壁パネル１０に圧着され、水密性を高める。
【００３７】
支持部２０ｃは、例えばステンレス鋼板を２つに折曲して断面が略Ｙ字状の棒体に形成される。支持部２０ｃには、一定の間隔で系入片２０ｄが複数突設される。この系入片２０ｄが、コーナーバックアップ材３０に穿設された、後述するスリット３０ｄに系入されることにより、壁パネル１０がコーナー目地２０及びコーナーバックアップ材３０に挟持される。
【００３８】
コーナーバックアップ材３０は、図４（ａ）に示すように、細長い、例えば亜鉛メッキ鋼板等を折曲加工したもので、その短手方向断面は、図４（ｃ）に示すように、中央のコーナー目地掛合部３０ａと、このコーナー目地掛合部３０ａの両側端で４５度の角度で折曲された壁パネル受け部３０ｂ，３０ｂとからなる。
【００３９】
コーナー目地掛合部３０ａには、所定の間隔で、コーナー目地２０の系入片２０ｄが系入される複数のスリット３０ｄが穿設されている。一方、壁パネル受け部３０ｂには、図４（ｂ）に示すように、上段及び下段の壁パネルに設けられた掛止孔１２ａが対向する位置に、この掛止孔１２ａに嵌挿されるピン３０ｄが突設される。また、コーナー目地掛合部３０ａの下端近傍には、コーナーバックアップ材３０を、アングルピース等を介して床２の壁パネル載置部２ａに立設するためのボルト孔３０ｅが穿設される。
【００４０】
本実施の形態に係るユニットルーム１は上記のように構成されており、以下その壁パネルの取付順序について、図５に示すフローチャートを参照して説明する。
【００４１】
まず、建築床或いは防水パン等の床２上に、コーナーバックアップ材３０を立設する（ステップＳ１）。この立設は、例えば、床２上にアングルピースを固定し、このアングルピースに穿設されたボルト孔と、コーナーバックアップ材３０のボルト孔３０ｅとにボルトを連通螺挿して行う。
【００４２】
次に、下段の壁パネル１０の掛止孔１２ａを、立設されたコーナーバックアップ材３０のピン３０ｄに外嵌させて、壁パネル１０を立設する（ステップＳ２）。このユニットルームが水密性を要求されるものであれば、図６（ｂ）に示すように、壁パネル載置部２ａ上に水密材５０を敷設してから壁パネル１０を載置する。
【００４３】
続いて、上段の壁パネル１０Ａ下端の凹溝１５Ａを、下段の壁パネル１０上端の凸条１４に嵌合させてさねはぎ接合させた後、上段の壁パネル１０Ａの係止孔１２ａを、立設されたコーナーバックアップ材３０のピン３０ｄに外嵌させて、壁パネル１０Ａを立設する（ステップＳ３）。
【００４４】
その結果、図６（ｂ）に示すように、室内側底部１４ａと室内側頂部１５ａとが当接しても、室外側底部１４ｃと室外側頂部１５ｃとは当接せず、両者の間に間隙Ｇが形成される。したがって、組立時に室外側底部１４ｃと室外側頂部１５ｃとの間に異物が挟まっても、この異物により、室内側底部１４ａと室内側頂部１５ａとの当接が阻害されることはない。
【００４５】
なお、下段の壁パネル１０の下側端には、上段の壁パネル１０Ａの下側端と同様に、凹溝１５が形成されるが、このように形成することにより、一方の側端に凸条１４、他方の側端に凹溝１５が必ず形成されるので、壁パネルの種類を、上段用、下段用に分ける必要がなくなり、管理が容易となる。
【００４６】
一方、上段の壁パネル１０Ａの上側端は、化粧鋼板１１を１回折り曲げただけの形状に形成されているので、加工が容易であるというメリットが得られる。このように、実際にさねはぎに接合される側端以外は、任意の形状に形成することもできる。
【００４７】
続いて、図７に示すように、コーナー目地２０の系入片２０ｄを、コーナーバックアップ材３０のスリット３０ｃに系入させて、コーナー目地２０を取り付ける（ステップＳ４）。これにより、図８に示すように、壁パネル１０，１０Ａは、コーナーバックアップ材３０とコーナー目地２０とに挟持され、壁パネル１０，１０Ａの掛止孔１２ａがコーナーバックアップ材３０のピン３０ｄから脱落することなく、堅固に固定される。
【００４８】
このとき、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じることもない。
【００４９】
この軟質部２０ｂは、斯かる機能を有するものであれば、本実施形態に示した形状に限られない。例えば、本実施形態では、三角断面の棒状体を目地本体２０ａの左右にそれぞれ２本設けているが、それ程高い水密性が要求されない場合は、図９（ａ）に示すように、左右それぞれ１本のみとしてもよい。また、図９（ｂ）に示すように、目地本体２０ａの先端にヒレ状の軟質材２０ｂ１として取り付けてもよい。或いは、図９（ｃ）に示すように、発泡パッキン２０ｂ２を目地本体２０ａの壁パネル１０，１０Ａに当接する部分全体に貼着することも可能である。
【００５０】
このように、壁パネル１０，１０Ａの取付には、ビス止めやボルト締め等の工程がないので工数が減少し、工期の短縮、延いてはコストの低減が可能となる。
【００５１】
こうして立設された壁３上に天井パネル４０を載置すれば（ステップＳ５）、ユニットルームの外枠が完成する。天井パネル４０の取付は、例えば図６（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００５２】
本発明の要旨は、上述したように、ユニットルームの壁パネル接合構造において、第１の壁パネルの一側端の室内側に位置する頂部と、第２の壁パネルの対向する一側端の室内側に位置する頂部とが当接される一方、上記両壁パネルの室外側に位置する頂部同士の間に間隙が設けられたことにある。したがって、さねはぎの形状は、上述した実施形態に係るものに限られない。以下、さねはぎの形状のいくつかの変形例について説明する。
【００５３】
図１０（ａ）に示す第１の変形例では、上段の壁パネル１０Ｃの下側端に形成される凹溝１５は、室内側頂部１５ａと室外側頂部１５ｃとが、同じ高さに形成される。
【００５４】
一方、下段の壁パネル１０Ｂの上側端に形成された凸条１４は、室内側底部１４ａから頂部１４ｂまでの距離は、室外側底部１４ｃから頂部１４ｂまでの距離より小さくなるように、すなわち、室内側底部１４ａの方が相対的に高く形成される。
【００５５】
その結果、図１０（ｂ）に示すように、さねはぎ結合された組立後において、室内側底部１４ａと室内側頂部１５ａとが当接しても、室外側底部１４ｃと室外側頂部１５ｃとは当接せず、間隙Ｇが形成される。したがって、組立時に室外側底部１４ｃと室外側頂部１５ｃとの間に異物が挟まっても、この異物により、室内側底部１４ａと室内側頂部１５ａとの当接が阻害されることはない。
【００５６】
図１１（ａ）に示す第２の変形例は、基本的には本実施形態に示したものと同様に、上段の壁パネル１０Ｄの下側端の凹溝１５は、室内側頂部１５ａから底部１５ｂまでの距離が、室外側頂部１５ｃから底部１５ｂまでの距離より長くなるように、すなわち、室内側頂部１５ａの方が相対的に高く形成されるが、室内側頂部１５ａが、室内に面する表面側から底部１５ｂへと高さが小さくなる、すなわち、勾配が設けられた傾斜面１５ｄとして形成される点で異なる。
【００５７】
このように、上段の壁パネル１０Ｄと下段の壁パネル１０とは、室内側頂部１５ａ及び室内側底部１４ａの表面側でのみ当接することになり、本実施形態に示したものと同様の効果が得られる外、室内側頂部１５ａと室内側底部１４ａとの間に異物が挟まった場合でも、それが小さなものであれば間隙Ｇを生じさせないという効果も得られる。
【００５８】
図１２（ａ）に示す第３の変形例は、基本的には第１の変形例に示したものと同様に、下段の壁パネル１０Ｅの上側端の凸条１４は、室内側底部１４ａから頂部１４ｂまでの距離が、室外側底部１４ｃから頂部１４ｂまでの距離より小さくなるように、すなわち、室内側底部１４ａの方が相対的に高く形成されるが、室内側底部１４ａが、室内に面する表面側から頂部１４ｂへと高さが小さくなる、すなわち、勾配が設けられた傾斜面１４ｄとして形成される点で異なる。この構成においても、第２の変形例と同様の効果を得ることができる。
【００５９】
図１３（ａ）に示す第４の変形例は、これまで説明した例とは異なり、凹溝１５と凸条１４との間に薄く柔軟な水密材１６が挟装される。これにより、室内で撒水された水がこのさねはぎ接合部から外部へと漏れることがより確実に防止できる。したがって、ユニットルームが、ユニットバスルームやユニットシャワールームとして使用される場合に特に有効である。
【００６０】
図１４（ａ）に示す第５の変形例は、第４の変形例で示した水密材を使用するケースをより発展させ、水密材を化粧モール１７として積極的に見せるように構成したものである。化粧モール１７は、エラストマー等の弾性材を用いて、凹溝１５及び凸条１４間に挟装される部分はこれらに嵌合する形状に成形される一方、視認できる部分は、室内側へ膨出するとともに、壁パネル１０，１０Ａの表面に沿って拡開する。
【００６１】
これにより、さねはぎ接合部は完全に見えなくなり、例えば、壁パネルの左右で接合部分の幅が異なるようなことが生じても、この化粧モール１７の拡開部分により掩蔽されるので、製品誤差や施工誤差を吸収することができる。のみならず、下段の壁パネルと上段の壁パネルとの間を明確に区別するので、壁面の腰部を、上部と異なった意匠とする場合等に新たな意匠性を与えることができる。
【００６２】
また、本発明の要旨によれば、接合構造はさねはぎ接合に限られず、相じゃくり接合（板材を幅方向につなぐとき、接合する２枚の板材の木端部分を互いに板厚の半分ずつを欠き取って接合すること）であってもよい。例えば図１６に示すように、壁パネル１０Ｆの一側端に形成された室内側に位置する凸条１４の頂部１４ｂと、壁パネル１０Ｇの、この凸条１４に対向する一側端に凸条１４に係合する形状に形成された室内側に位置する凸条受け部１５ｅとが当接される一方、壁パネル１０Ｆの室外側に形成された凸条受け部１５ｅと壁パネル１０Ｇの室外側に形成された凸条１４の頂部１４ｂとの間に間隙Ｇが設けられる。
【００６３】
このように室外側に間隙Ｇが設けられるので、相じゃくり接合によっても、組立時に室外側の凸条の頂部１４ｂと凸条受け部１５ｅとの間に異物が挟まっても、この異物により、室内側頂部１４ｂと凸条受け部１５ｅとの当接が阻害されることはない。
【００６４】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００６５】
例えば、本実施形態においては、横積み構造のものを例にとって説明したが、本発明はこれに限られず、縦張り型の壁パネルにおいても、例えば、足下においては床に剛に結合し、そして、頂部においては天井に剛に接合する等してスパン中間の支柱を省略できる場合には、採用することが可能である。
【００６６】
また、ユニットルームも、ユニットバスルーム、ユニットシャワールーム、ユニットトイレルーム等に限られず、第１の壁パネルの一側端の室内側に位置する頂部と、第２の壁パネルの対向する一側端の室内側に位置する頂部とが当接される一方、上記両壁パネルの室外側に位置する頂部同士の間に間隙が設けられたものであれば、物置やトランクルーム等であってもよい。
【図面の簡単な説明】
【００６７】
【図１】本発明に係る壁パネル及びその接続構造を備えるユニットルームの全体概要を示す図。
【図２】壁パネルの詳細図で、（ａ）は正面図、（ｂ）は側面図、（ｃ）は（ａ）中のＡ−Ａ矢視図，（ｄ）は同Ｂ−Ｂ矢視図、（ｅ）は同Ｃ−Ｃ矢視図。
【図３】コーナー目地の詳細図で、（ａ）は側面図、（ｂ）は（ａ）中のＦ−Ｆ矢視図。
【図４】コーナーバックアップ材の詳細図で、（ａ）は正面図、（ｂ）は（ａ）中のＤ−Ｄ矢視図，（ｃ）は同Ｅ−Ｅ矢視図、（ｄ）は同Ｆ部拡大図。
【図５】本実施形態に係る壁パネルの組立順序を示すフローチャート。
【図６】図１に示された壁パネルの取付を説明する図であり、（ａ）は組立前の、（ｂ）は組立後の縦断面図。
【図７】コーナーバックアップ材にコーナー目地を取り付ける様子を説明する図。
【図８】壁パネルの取付状態を示す横断面図。
【図９】軟質材の変形例のいくつかを示す図。
【図１０】本実施形態に示された壁パネルの第１の変形例を示す図であり、（ａ）は組立前の、（ｂ）は組立後の縦断面図。
【図１１】本実施形態に示された壁パネルの第２の変形例を示す図であり、（ａ）は組立前の、（ｂ）は組立後の縦断面図。
【図１２】本実施形態に示された壁パネルの第３の変形例を示す図であり、（ａ）は組立前の、（ｂ）は組立後の縦断面図。
【図１３】本実施形態に示された壁パネルの第４の変形例を示す図であり、（ａ）は組立前の、（ｂ）は組立後の縦断面図。
【図１４】本実施形態に示された壁パネルの第５の変形例を示す図であり、（ａ）は組立前の、（ｂ）は組立後の縦断面図。
【図１５】相じゃくり接合される壁パネルの取付を説明する図であり、（ａ）は組立前の、（ｂ）は組立後の縦断面図。
【図１６】従来の縦張り壁パネルの接続構造を示す図。
【図１７】従来の横積み構造の問題点を説明する図であり、（ａ）は凸条及び／又は凹溝の成型精度が悪い場合、（ｂ）は組立中に嵌合部に異物を噛み込んだ場合の例を示す図。
【符号の説明】
【００６８】
１  ユニットルーム
２  床
２ａ  壁パネル載置部
３  壁
４  コーナー支柱
１０，１０Ａ，１０Ｂ，１０Ｃ，１０Ｄ，１０Ｅ，１０Ｆ，１０Ｇ  壁パネル
１１  表面材
１２  芯材
１２ａ  掛止孔
１３  裏面材
１４  凸条
１４ａ  室内側底部
１４ｂ  頂部
１４ｃ  室外側底部
１４ｄ  傾斜面
１４ｅ  凸条受け部
１５  凹溝
１５ａ  室内側頂部
１５ｂ  底部
１５ｃ  室外側頂部
１５ｄ  傾斜面
１５ｅ  凸条受け部
１６，５０  水密材
１７  化粧モール
２０  コーナー目地
２０ａ  目地本体
２０ｂ  軟質部
２０ｃ  支持部
２０ｄ  係入片
３０  コーナーバックアップ材
３０ａ  コーナー目地掛合部
３０ｂ  壁パネル受け部
３０ｃ  スリット
３０ｄ  ピン
３０ｅ  ボルト孔
４０  天井パネル
４１  接続ピース
４１ａ，４１ｂ  嵌合凹部
Ｆ  異物
Ｇ  間隙
【図１】
2006028834.tif 000003
【図２】
2006028834.tif 000004
【図３】
2006028834.tif 000005
【図４】
2006028834.tif 000006
【図５】
2006028834.tif 000007
【図６】
2006028834.tif 000008
【図７】
2006028834.tif 000009
【図８】
2006028834.tif 000010
【図９】
2006028834.tif 000011
【図１０】
2006028834.tif 000012
【図１１】
2006028834.tif 000013
【図１２】
2006028834.tif 000014
【図１３】
2006028834.tif 000015
【図１４】
2006028834.tif 000016
【図１５】
2006028834.tif 000017
【図１６】
2006028834.tif 000018
【図１７】
2006028834.tif 000019